【手続補正書】
【提出日】平成22年12月21日(2010.12.21)
【手続補正１】
【補正対象書類名】特許請求の範囲
【補正対象項目名】全文
【補正方法】変更
【補正の内容】
【特許請求の範囲】
【請求項１】
取引ハンドラのプロセッサにおいて、対応するイシュアーによって各々発行される複数のアカウントの各々についての情報を電子的に受け取る段階と、
加盟店と将来行われる取引に関して、加盟店に配信して加盟店によって保存するための前記複数のアカウントの各々についての前記情報を前記取引ハンドラのプロセッサから電子的に送信する段階と、
１つの前記取引をリアルタイムで処理する段階と、
を含む方法であって、
前記リアルタイムで処理する段階は、
１つの前記アカウントにおいて前記加盟店と行われる１つの前記取引に関して、前記加盟店によってアクワイアラーのコンピュータに送出された、前記加盟店によって保存されていた１つの前記アカウントについての前記情報の一部分を含む第１オーソリゼーションリクエストを、前記取引ハンドラのプロセッサにおいて前記アクワイアラーのコンピュータから電子的に受け取る段階と、
前記第１オーソリゼーションリクエストを前記取引ハンドラのプロセッサから対応する前記イシュアーに電子的に送信する段階と、
前記取引ハンドラのプロセッサにおいて、電子的に送信された前記第１オーソリゼーションリクエストに応答した否認を電子的に受け取る段階と、
前記加盟店に配信するために、前記否認を前記取引ハンドラのプロセッサから前記アクワイアラーのコンピュータに電子的に送信する段階と、
前記取引ハンドラのプロセッサにおいて、１つの前記アカウントについて更新された情報のアカウント情報更新リクエストを前記加盟店から電子的に受け取る段階と、
前記加盟店に配信するために、１つの前記アカウントについて更新された情報を、前記取引ハンドラのプロセッサに関連するアカウント記録のデータベースから電子的に送信する段階と、
１つの前記アカウントにおいて行われる１つの前記取引に関して、前記加盟店によって前記アクワイアラーのコンピュータに送出された、１つの前記アカウントについて更新された情報の一部分を含む第２オーソリゼーションリクエストを、前記取引ハンドラのプロセッサにおいて前記アクワイアラーのコンピュータから電子的に受け取る段階と、
前記第２オーソリゼーションリクエストを前記取引ハンドラのプロセッサから対応する前記イシュアーに電子的に送信する段階と、
前記取引ハンドラのプロセッサにおいて、前記第２オーソリゼーションリクエストに応答したオーソリゼーション承認を電子的に受け取る段階と、
前記加盟店に配信するために、前記オーソリゼーション承認を前記取引ハンドラのプロセッサから前記アクワイアラーのコンピュータに電子的に送信する段階と、
を含む方法。
【請求項２】
前記加盟店に配信するための１つの前記アカウントについて更新された情報は、１つの前記加盟店が、予め定められた基準に反するかを問い、１つの前記取引を承認するか否かを判断するのに十分である、
請求項１に記載の方法。
【請求項３】
コンピューティングデバイスによって実行されたときに、請求項１に記載の前記取引ハンドラのプロセッサによって実行される段階を実行する命令を含むコンピュータ読み出し可能媒体。
【請求項４】
前記リアルタイムの段階の前に、前記複数のアカウントについての更新された情報を前記取引ハンドラのプロセッサにおいて電子的に受け取る段階を更に含む、
請求項１に記載の方法。
【請求項５】
前記取引ハンドラのプロセッサは、前記否認を送信する該取引ハンドラのプロセッサへの応答として前記加盟店の要求に応じてアカウント更新リクエストを電子的に受け取る、
請求項１に記載の方法。
【請求項６】
１つの前記アカウントに関して、前記第１及び第２オーソリゼーションリクエスト内のデータ間の相違は、
アドレス情報の変更と、
有効期限情報の変更と、
１つの前記アカウントの保有者の名義情報の変更と、
１つの前記アカウントのアカウント番号情報の変更と、
クレジット限度情報の変更と、
からなるグループから選択される、
請求項１に記載の方法。
【請求項７】
１つの前記アカウントは、金融取引システムにおいて対応するアカウント保有者によってそれぞれ保有される複数の前記アカウントのうちの１つであり、
複数の前記イシュアーが、それぞれの前記アカウントを前記対応するアカウント保有者に発行し、
複数の前記加盟店が、前記対応するアカウント保有者による他の対応する前記取引に関してそれぞれの前記アカウントにおけるオーソリゼーションリクエストを受け取り、
複数の前記アクワイアラーのコンピュータが、他の対応する前記取引のためのオーソリゼーションリクエストをそれぞれの前記加盟店から受け取り、
複数の前記アクワイアラーのコンピュータが、前記取引ハンドラのプロセッサを介して前記対応するイシュアーのイシュアーコンピュータと通信して、それぞれの前記アカウント保有者のアカウントにおける前記リクエストされた各オーソリゼーションを承認するか又は否認するかを判断し、
前記方法が更に、
前記取引ハンドラのプロセッサにおいて、対応する前記イシュアー、前記加盟店、及び前記アクワイアラーのコンピュータに関連する各アクワイアラーと、各前記アカウント保有者の各前記アカウントを電子的に調整する段階と、
前記取引ハンドラのプロセッサにおいて、前記対応するイシュアーがそれぞれの前記アカウントを発行した前記それぞれのアカウント保有者について前記更新されたアカウント情報を対応する前記イシュアーから電子的に受け取る段階と、
を含む、請求項１に記載の方法。
【請求項８】
リアルタイムで即時カード提示取引を実行するための方法であって、
取引ハンドラのプロセッサにおいて、アカウントにおいて加盟店と即時行われる前記カード提示取引のための第１オーソリゼーションリクエストをアクワイアラーのコンピュータからリアルタイムで電子的に受け取る段階を含み、
前記第１オーソリゼーションリクエストが、前記加盟店に配信して前記加盟店によって保存するための複数の前記アカウントの情報の一部分としてバッチ操作で前記取引ハンドラのプロセッサによって以前に送信された前記アカウントのデータを含み、
前記方法が更に、
前記アカウントの対応するイシュアーに配信するために前記第１オーソリゼーションリクエストを前記取引ハンドラのプロセッサからリアルタイムで電子的に送信する段階と、
前記取引ハンドラのプロセッサにおいて、電子的に送信された前記第１オーソリゼーションリクエストに応答した前記イシュアーからの否認をリアルタイムで電子的に受け取る段階と、
前記加盟店に配信するために、前記否認を前記取引ハンドラのプロセッサから前記アクワイアラーのコンピュータにリアルタイムで電子的に送信する段階と、
前記取引ハンドラのプロセッサにおいて、前記アカウントについて更新された情報のアカウント情報更新リクエストを前記加盟店からリアルタイムで電子的に受け取る段階と、
前記加盟店に配信して前記加盟店によって保存するために、前記アカウントについて更新された情報を前記取引ハンドラのプロセッサに関連するアカウント記録のデータベースから前記リクエストに対する自動応答としてリアルタイムで電子的に送信する段階と、
前記アカウントにおいて前記加盟店と行われる前記取引に関して、前記加盟店によって前記アクワイアラーのコンピュータに送出された、前記アカウントについて更新された情報の一部分を含む第２オーソリゼーションリクエストを、前記取引ハンドラのプロセッサにおいて前記アクワイアラーのコンピュータからリアルタイムで電子的に受け取る段階と、
前記アカウントの対応する前記イシュアーに配信するために前記第２オーソリゼーションリクエストを前記取引ハンドラのプロセッサからリアルタイムで電子的に送信する段階と、
前記取引ハンドラのプロセッサにおいて、前記第２オーソリゼーションリクエストに応答したオーソリゼーション承認をリアルタイムで電子的に受け取る段階と、
前記加盟店に配信するために、前記オーソリゼーション承認を前記取引ハンドラのプロセッサから前記アクワイアラーのコンピュータにリアルタイムで電子的に送信する段階と、
を含む方法。
【請求項９】
前記アカウントが、前記対応するイシュアーによって対応するアカウント保有者に発行され、前記第１及び第２オーソリゼーションリクエストの各々が、前記アカウントにおいてクレジットを供与するためのリクエストを含む、
請求項８に記載の方法。
【請求項１０】
前記加盟店に配信して前記加盟店によって保存するための前記アカウントについて更新された情報は、１つの前記加盟店が予め定められた基準に反するかを問い、前記アカウント保有者のアカウントにおけるクレジットを前記加盟店に要求する前記アカウント保有者に応答して、前記取引に関して前記クレジットを供与するか否かを判断するのに十分である、
請求項９に記載の方法。
【請求項１１】
前記取引ハンドラのプロセッサによって実行されたときに、請求項８の前記取引ハンドラのプロセッサによって実行される電子的送信及び電子的受信命令の各々を実行する命令を含むコンピュータ読み出し可能媒体。
【請求項１２】
前記アカウントが、支払処理システムにおいて対応するアカウント保有者によってそれぞれ保有される複数の前記アカウントのうちの１つであり、
複数の前記イシュアーが、それぞれの前記アカウントを前記対応するアカウント保有者に発行し、
複数の前記加盟店が、前記対応するアカウント保有者による他の前記取引に関してそれぞれの前記アカウントにおけるオーソリゼーションリクエストを受け取り、
複数の前記アクワイアラーのコンピュータが、他の対応する前記取引のためのオーソリゼーションリクエストをそれぞれの前記加盟店から受け取り、
複数の前記アクワイアラーのコンピュータが、前記取引ハンドラのプロセッサを介して前記対応するイシュアーのイシュアーコンピュータと通信して、それぞれの前記アカウント保有者のアカウントにおける前記リクエストされた各オーソリゼーションを承認するか又は否認するかを判断し、
前記方法が更に、
前記取引ハンドラのプロセッサにおいて、対応する前記イシュアー、前記加盟店、及び前記アクワイアラーのコンピュータに関連する各アクワイアラーと、各前記アカウント保有者の各前記アカウントを電子的に調整する段階と、
前記取引ハンドラのプロセッサにおいて、対応する前記イシュアーがそれぞれの前記アカウントを発行した前記それぞれのアカウント保有者について前記更新されたアカウント情報を対応する前記イシュアーから電子的に受け取る段階と、
を含む、請求項８に記載の方法。
【請求項１３】
リアルタイムで取引を実行するための加盟店のコンピュータで実行される方法であって、
加盟店のコンピュータの実行コードにおいて、アカウントにおける取引のための第１オーソリゼーションリクエストの初期否認をリアルタイムで電子的に受け取る段階を含み、
前記第１オーソリゼーションリクエストが、他の前記アカウントについて他のそのような情報を保存する電子バッチ操作で前記加盟店コンピュータによって以前に保存された前記アカウントに関する情報を含み、
前記方法が更に、
前記初期否認を電子的に受け取る前記段階の後に、前記加盟店のコンピュータの実行コードにおいて、前記アカウントについて自動更新されたアカウント情報を取引ハンドラのプロセッサに関連するアカウント記録のデータベースからリアルタイムで電子的に受け取る段階と、
前記更新されたアカウント情報を電子的に受け取る前記段階の後に、前記加盟店のコンピュータの実行コードにおいて、前記更新されたアカウント情報を含む前記取引のための第２オーソリゼーションリクエストをリアルタイムで送出する段階と、
前記第２オーソリゼーションリクエストを送出する前記段階の後に、前記加盟店のコンピュータの実行コードにおいて、前記取引のための第２オーソリゼーションリクエストの承認をリアルタイムで受け取る段階と、
を含む方法。
【請求項１４】
前記アカウントが、イシュアーによってアカウント保有者に発行され、前記第１及び第２オーソリゼーションリクエストの各々が、前記アカウント保有者のアカウントにおいてクレジットを供与するためのリクエストを含む、
請求項１３に記載の方法。
【請求項１５】
前記電子バッチ操作で前記加盟店コンピュータによって以前に保存された前記アカウントについての前記情報が、前記加盟店のアクワイアラーの前記取引ハンドラのプロセッサから双方向ユーザインタフェースを介して以前に受け取ったものである、
請求項１３に記載の方法。
【請求項１６】
前記アカウントに関して、前記第１及び第２オーソリゼーションリクエスト内のデータ間の相違は、
アドレス情報の変更と、
有効期限情報の変更と、
前記アカウントの保有者の名義情報の変更と、
前記アカウントのアカウント番号情報の変更と、
クレジット限度情報の変更と、
からなるグループから選択される、
請求項１３に記載の方法。
【請求項１７】
前記アカウントにおける前記取引に関して前記取引ハンドラのプロセッサに清算及び決済リクエストを送出するための前記加盟店のコンピュータの実行コードを更に含む、
請求項１３に記載の方法。
【請求項１８】
前記アカウントが、アカウント保有者によって金融取引システム内にそれぞれ保有された複数の前記アカウントのうちの１つであり、
複数のイシュアーが、それぞれの前記アカウントをそれぞれの前記アカウント保有者に発行し、
複数の前記加盟店のコンピュータが、前記対応するアカウント保有者による他の前記取引に関してそれぞれの前記アカウントにおけるオーソリゼーションリクエストを受け取り、
複数のアクワイアラーのコンピュータが、他の対応する前記取引に関して前記オーソリゼーションリクエストをそれぞれの前記加盟店のコンピュータから受け取り、
複数の前記アクワイアラーのコンピュータが、前記取引ハンドラのプロセッサを介して前記対応するイシュアーの対応するイシュアーコンピュータと通信して、それぞれの前記アカウント保有者のアカウントにおける前記リクエストされた各オーソリゼーションを承認するか又は否認するかを判断し、
前記取引ハンドラのプロセッサが、対応する前記イシュアーのイシュアーコンピュータ、前記加盟店のコンピュータ、及び各前記アクワイアラーのコンピュータと各前記アカウント保有者の各前記アカウントを調整し、
前記取引ハンドラのプロセッサが、対応する前記イシュアーがそれぞれの前記アカウントを発行した前記それぞれのアカウント保有者について前記更新されたアカウント情報を対応する前記イシュアーから電子的に受け取る、
請求項１３に記載の方法。
【請求項１９】
前記加盟店のコンピュータによって実行されたときに、請求項１３の前記方法を実行する命令を含むコンピュータ読み出し可能媒体。
【請求項２０】
対応するそれぞれのアカウント保有者に対してイシュアーによって発行されたアカウントを調整する取引ハンドラを備え、前記各アカウント保有者が、対応する前記アカウントにおける取引のオーソリゼーションリクエストを対応する加盟店に行い、前記対応する加盟店がアクワイアラーを有し、該アクワイアラーと共に前記取引ハンドラが対応する前記アカウントを調整するシステムにおいて、
加盟店のプロセッサにおいて、前記対応する前記アカウント保有者の１つの前記アカウントに対する取引のオーソリゼーションリクエストを含む、１つの前記加盟店のアクワイアラーに宛てられる第１の送信メッセージを電子的に形成する段階と、
前記加盟店のプロセッサにおいて、１つの前記アカウントに関する前記取引のオーソリゼーションリクエストに応答した、１つの前記アカウントに関する前記取引のオーソリゼーションリクエストの否認を含む第２の送信メッセージを１つの前記加盟店のアクワイアラーから電子的に受け取る段階と、
前記受け取った否認に応答して、前記加盟店のプロセッサにおいて、１つの前記アカウントに関する情報リクエストを含む、前記取引ハンドラに宛てられる第３の送信メッセージを電子的に形成する段階と、
前記加盟店のプロセッサにおいて、１つの前記アカウントについて前記リクエストした情報を含む第４の送信メッセージを前記取引ハンドラから電子的に受け取る段階と、
前記リクエストした情報の電子的受け取りに応答して、前記加盟店のプロセッサにおいて、前記受け取ったリクエスト情報を予め定められた基準に反するかを電子的に問い、前記対応するアカウント保有者の１つのアカウントに対する前記取引を完了するか否かを判断する段階と、
を含むコンピュータで実行される方法。
【請求項２１】
前記加盟店のプロセッサにおいて、前記否認がそれに対して受け取られた１つの前記アカウントに関する情報リクエストと、前記否認がそれに対して受け取られた１つの前記アカウントについてのリクエストされた情報とに対応するデータを収容するための双方向インタフェースを電子的に提供する段階を更に含む、
請求項２０に記載のコンピュータで実行される方法。
【請求項２２】
前記第１の送信メッセージを電子的に形成する段階、前記第２の送信メッセージを電子的に受け取る段階、前記第３の送信メッセージを電子的に形成する段階、前記第４の送信メッセージを電子的に受け取る段階、及び前記受け取ったリクエスト情報を電子的に問う段階が、順次的に各々リアルタイムで行われる、
請求項２０に記載のコンピュータで実行される方法。
【請求項２３】
前記第１の送信メッセージを電子的に形成する段階及び前記第２の送信メッセージを電子的に受け取る段階が、前記加盟店のプロセッサにおいて、サーバネットワークのブラウザアプリケーションを使用して行われる、
請求項２２に記載のコンピュータで実行される方法。
【請求項２４】
前記第４の送信メッセージを電子的に受け取る段階の後に、１つの前記アカウントについてのデータに関連する前記リクエストした情報を前記加盟店のプロセッサにおいて電子的に保存する段階を更に含む、
請求項２０に記載のコンピュータで実行される方法。
【請求項２５】
１つの前記アカウントに対する取引が完了した後、前記加盟店のプロセッサにおいて、１つの前記アカウントに対する取引の清算及び決済リクエストを含む、１つの前記加盟店のアクワイアラーに宛てられる第５の送信メッセージを電子的に形成する段階を更に含む、
請求項２０に記載のコンピュータで実行される方法。
【請求項２６】
前記受け取ったリクエスト情報が、
アドレス情報の変更と、
有効期限情報の変更と、
１つの前記アカウントのアカウント保有者の名義情報の変更と、
１つの前記アカウントのアカウント番号情報の変更と、
からなるグループから選択されるデータを含む、
請求項２０に記載のコンピュータで実行される方法。
【請求項２７】
前記第１の送信メッセージを電子的に形成する段階の前に、前記加盟店のプロセッサを用いて、１つの前記アカウントに関連するカードからアカウント識別子を電子的に読み取る段階を更に含み、
前記第１の送信メッセージが更に、カードリーダにて読み取られた前記アカウント識別子を含み、
１つの前記アカウントに対する取引が、即時カード提示取引である、
請求項２０に記載のコンピュータで実行される方法。
【請求項２８】
前記第１の送信メッセージを電子的に形成する段階の前に、
前記加盟店のプロセッサにおいて、１つの前記アカウントに関するデータを含む第５の送信メッセージを前記取引ハンドラから電子的に受け取る段階と、
前記加盟店のプロセッサに関連するデータベース内に前記取引ハンドラから受け取ったデータを電子的に保存する段階と、
を更に含み、
１つの前記アカウントに関するデータが、前記第１の送信メッセージを電子的に形成するときに期限切れになり、前記第１の送信メッセージが１つの前記アカウントに関する期限切れデータの少なくとも一部を含む、
請求項２０に記載のコンピュータで実行される方法。
【請求項２９】
前記第３の送信メッセージを電子的に形成する段階が、前記それぞれの返信に対する自動応答である、
請求項２０に記載のコンピュータで実行される方法。
【請求項３０】
アカウント保有者にイシュアーが発行したアカウントにおける取引を行う加盟店及びアカウント保有者により各々特徴付けられる対応する取引に対する、複数のオーソリゼーションリクエストを処理する取引ハンドラを含み、該取引ハンドラが、前記アカウントについての更新されたアカウント情報を前記イシュアーから受け取るシステムにおいて、
前記加盟店のプロセッサにおいて、複数の前記アカウントに関するデータを含む第１の送信メッセージを前記取引ハンドラからバッチモードで電子的に受け取る段階と、
前記取引ハンドラから受け取ったデータを前記加盟店のプロセッサに関連するデータベース内に電子的に保存する段階と、
前記加盟店のプロセッサにおいて、１つの前記加盟店と１つの前記アカウントの対応するアカウント保有者との間の１つの前記取引を承認する、１つの前記カウントの対応する前記イシュアーにリクエストするオーソリゼーションリクエストを含み、且つ該オーソリゼーションが前記第１の送信メッセージで受け取った１つの前記アカウントに関するデータの少なくとも一部を含む第２の送信メッセージをリアルタイムで電子的に形成する段階と、
前記加盟店のプロセッサにおいて、１つの前記取引を承認する対応する前記イシュアーの否認を含む前記オーソリゼーションリクエストに対する返信を前記アクワイアラーからリアルタイムで電子的に受け取る段階と、
前記受け取った返信に対する自動応答として、前記加盟店のプロセッサにおいて、１つの前記アカウントについて更新された情報のリクエストを含む、前記取引ハンドラに宛てられた第３の送信メッセージを電子的に形成する段階と、
前記加盟店のプロセッサにおいて、１つの前記アカウントについてリクエストされた更新情報を含む第４の送信メッセージを前記取引ハンドラから電子的に受け取る段階と、
前記リクエストされた更新情報の電子的受け取りに応答して、前記加盟店のプロセッサにおいて、一致を検出するために、前記受け取った更新情報を予め定められた基準に照らして電子的に比較する段階と、
一致が検出されたときに、前記加盟店のプロセッサにおいて、対応する前記アカウント保有者の１つの前記アカウントに対する前記取引を電子的に完了する段階と、
を含むコンピュータで実行される方法。
【請求項３１】
各前記アカウント保有者がカード保有者を含み
前記取引ハンドラが金融サービスプロバイダーを含み、
対応する前記アカウント保有者の各前記取引の各前記アカウントにおける各前記オーソリゼーションリクエストが、対応する前記カード保有者のアカウントにおいてクレジットを供与するためのリクエストを含む、
請求項３０に記載のコンピュータで実行される方法。
【請求項３２】
前記加盟店のプロセッサにおいて、前記否認を受け取った１つの前記アカウントについての更新情報リクエストと、前記否認を受け取った１つの前記アカウントについての更新情報とに対応するデータを収容するための双方向インタフェースを電子的に提供する段階を更に含む、
請求項３０に記載のコンピュータで実行される方法。
【請求項３３】
前記第３の送信メッセージを電子的に形成する段階及び前記第４の送信メッセージを電子的に受け取る段階が、サーバネットワークのブラウザアプリケーションを使用して行われる、
請求項３０に記載のコンピュータで実行される方法。
【請求項３４】
１つの前記アカウントに対する取引が完了した後、前記加盟店のプロセッサにおいて、１つの前記アカウントに対する取引の清算及び決済リクエストを含む、１つの前記加盟店のアクワイアラーに宛てられる第５の送信メッセージを電子的に形成する段階を更に含む、
請求項３０に記載のコンピュータで実行される方法。
【請求項３５】
前記更新情報が、
アドレス情報の変更と、
有効期限情報の変更と、
１つの前記アカウントのアカウント保有者の名義情報の変更と、
１つの前記アカウントのアカウント番号情報の変更と、
からなるグループから選択されるデータを含む、
請求項３０に記載のコンピュータで実行される方法。
【請求項３６】
取引ハンドラに通信可能に接続されたプロセッサと、コンピュータ読み出し可能コードを保存するコンピュータ読み出し可能媒体とを含む加盟店サーバであって、
前記コンピュータ読み出し可能コードが、前記プロセッサによってリアルタイムで実行されたときに、前記加盟店サーバに、
加盟店とアカウント保有者との間の前記アカウント保有者のアカウントに対する取引のオーソリゼーションをリクエストし、前記アカウントのイシュアーに宛てられ、前記アカウントについての更新されたカウント情報を含む、第１の送信メッセージを電子的に形成する段階と、
前記オーソリゼーションリクエストに応答して、前記アカウントにおいて前記取引を承認する前記イシュアーの否認を含む第２の送信メッセージを電子的に受け取る段階と、
前記受け取った否認に応答して、前記アカウントについての更新情報リクエストを含む、前記アカウントに対応する取引ハンドラに宛てられる第３の送信メッセージを電子的に形成する段階と、
前記アカウントについて更新された情報を含む第４の送信メッセージをお取引ハンドラから電子的に受け取る段階と、
前記リクエストした情報の電子的受け取りに応答して、一致を検出するために、前記受け取った更新情報を予め定められた基準と電子的に比較する段階と、
一致が検出されたときに、対応する前記アカウント保有者の前記アカウントに対する取引を電子的に完了する段階と、
を含む方法を実行させる、加盟店サーバ。
【請求項３７】
前記加盟店サーバが更にカードリーダを含み、
前記コンピュータ読み出し可能媒体が更に、前記プロセッサによってリアルタイムで実行されたときに、前記第１の送信メッセージを形成する段階の前に、前記カードリーダにおいて、前記アカウントに関連するカードから期限切れアカウント情報を電子的に読み取る段階を更に含む方法を前記加盟店サーバに実行させるコンピュータ読み出し可能コードを保存し、
前記第１の送信メッセージが更に前記カードリーダにおいて読み取ったアカウント識別子を含む、
請求項３６に記載の加盟店サーバ。
【請求項３８】
前記加盟店サーバが更にデータベースを含み、
前記コンピュータ読み出し可能媒体が更に、前記プロセッサによってリアルタイムで実行されたときに、前記第１の送信メッセージをリアルタイムで電子的に形成する段階の前に、前記アカウントに関するデータを含む第５の送信メッセージを前記取引ハンドラから電子的に受け取る段階と、前記取引ハンドラから前記受け取ったデータを前記データベース内に電子的に保存する段階と、を更に含む方法を前記加盟店サーバに実行させるコンピュータ読み出し可能コードを保存し、
前記アカウントに関するデータが前記第１の送信メッセージを電子的に形成するときに期限切れになる、
請求項３６に記載の加盟店サーバ。
【請求項３９】
前記コンピュータ読み出し可能媒体が更に、前記プロセッサによってリアルタイムで実行されたときに、一致が検出された後に、前記アカウントに対する取引の清算及び決済リクエストを含む第５の送信メッセージを電子的に形成する段階を更に含む方法を前記加盟店サーバに実行させるコンピュータ読み出し可能コードを保存し、
前記第５の送信メッセージが前記加盟店のアクワイアラーに宛てられる、
請求項３６に記載の加盟店サーバ。
【請求項４０】
イシュアーによってアカウント保有者に発行されたアカウントにおいて前記アカウント保有者と加盟店との各々の間で複数の取引を処理する取引ハンドラを備えたシステムにおいて、
ソフトウェアを実行する加盟店のコンピュータマシンにおいて、何らかの過去の変更を判定するため複数の前記アカウントに関するデータのバッチ比較をリクエストする加盟店のアクワイアラーに宛てられた加盟店送信メッセージを電子的に形成する段階と、
前記加盟店のコンピュータマシンにおいて、前記複数のアカウントの中の前記アカウントの各々にそれぞれ対する前記過去の変更を含むアクワイアラー送信メッセージを前記アクワイアラーから電子的に受け取る段階と、
前記加盟店のコンピュータマシンにおいて、前記複数のアカウントの中の前記アカウントの各々に関する保存データを前記それぞれの受け取られた過去の変更で電子的にバッチ更新する段階と、
前記加盟店のコンピュータマシンにおいて、１つの前記アカウントに対する過去の変更の少なくとも一部を含む、前記複数のアカウントの中の１つの前記アカウントにおける取引を承認するイシュアーに対するオーソリゼーションリクエストを電子的に形成する段階と、
前記加盟店のコンピュータマシンにおいて、前記取引を承認する前記イシュアーの前記オーソリゼーションリクエストに応答した否認を電子的に受け取る段階と、
前記否認を受け取る前記段階の後に、前記加盟店のコンピュータマシンにおいて、前記アクワイアラーから受け取った過去の変更よりも新しい最近の変更に関するデータを前記取引ハンドラに１つの前記アカウントに送るよう要求するリクエストを含むリクエスト送信メッセージを電子的に形成する段階と、
前記加盟店のコンピュータマシンにおいて、前記最近の変更に関するデータを前記取引ハンドラに関連するアカウント記録のデータベースから電子的に受け取る段階と、
前記加盟店のコンピュータマシンにおいて、前記最近の変更に関する受け取ったデータを予め定められた基準に反するかを電子的に問い、１つの前記アカウントに対する前記取引を承認するか否かを判断する段階と、
を含む、コンピュータで実行される方法。
【請求項４１】
各前記アカウント保有者がカード保有者を含み
前記取引ハンドラが金融サービスプロバイダーを含み、
対応する前記アカウント保有者による各前記取引の各前記アカウントにおけるオーソリゼーションの各前記オーソリゼーションリクエストが、対応する前記カード保有者のアカウントにおいてクレジットを供与するためのリクエストを含む、
請求項４０に記載のコンピュータで実行される方法。
【請求項４２】
前記取引ハンドラに通信可能に接続された前記加盟店のコンピュータマシンにおいて、前記最近の変更に関するデータのリクエストと、前記最近の変更に関するデータとに対応するデータを表現するため双方向インタフェースを提供する段階を更に含む、
請求項４０に記載のコンピュータで実行される方法。
【請求項４３】
前記加盟店のコンピュータマシンにおいて、前記取引ハンドラにリアルタイムでアクセスする手段を提供する段階と、
前記加盟店のコンピュータマシンにおいて、前記リクエスト送信メッセージを送る段階と、
前記加盟店のコンピュータマシンにおいて、前記最近の変更に関するデータを受け取る段階と、
を更に含む、
請求項４０に記載のコンピュータで実行される方法。
【請求項４４】
前記リアルタイムのアクセス手段が、サーバネットワークのブラウザアプリケーションを含む、
請求項４３に記載のコンピュータで実行される方法。
【請求項４５】
前記加盟店のコンピュータマシンによって実行されたときに、請求項４０のコンピュータで実行される方法を前記加盟店のコンピュータマシンに実行させる保存された命令を含むコンピュータ読み出し可能媒体。
【請求項４６】
イシュアーによってアカウント保有者に発行されたアカウントにおいて前記アカウント保有者と加盟店との各々の間で複数の取引を処理する取引ハンドラを備えたシステムにおいて、
ソフトウェアを実行する加盟店のコンピュータマシンにおいて、複数の前記アカウントに関するデータに対する何らかの過去の変更を判定するため、アクワイアラーが前記取引ハンドラから以前に受け取った複数の前記アカウントに関するデータのバッチ比較をリクエストする加盟店のアクワイアラーに宛てられた送信メッセージを電子的に形成する段階と、
前記加盟店のコンピュータマシンにおいて、前記複数のアカウントの中の前記アカウントの各々にそれぞれ対する前記過去の変更を含む送信メッセージを前記アクワイアラーから電子的に受け取る段階と、
前記加盟店のコンピュータマシンにおいて、前記複数のアカウントの中の前記アカウントの各々に関する保存データを前記それぞれの受け取られた過去の変更で電子的にバッチ更新する段階と、
前記加盟店のコンピュータマシンにおいて、前記複数のアカウントの中の１つの前記アカウントにおける取引を承認するイシュアーに対する、１つの前記アカウントに関する保存情報の少なくとも一部を含み、前記アクワイアラーに宛てられて前記取引ハンドラに転送され、１つの前記アカウントのイシュアーに転送されるオーソリゼーションリクエストをリアルタイムで電子的に形成する段階と、
前記加盟店のコンピュータマシンにおいて、前記取引を承認する前記イシュアーの前記オーソリゼーションリクエストに応答した否認を前記アクワイアラーからリアルタイムで電子的に受け取る段階と、
前記否認を受け取る前記段階の後に、前記加盟店のコンピュータマシンにおいて、前記複数のアカウントに対する最後のバッチ更新した以降の最近の変更に関するデータを前記取引ハンドラに１つの前記アカウントに送るよう要求するリクエストを含む、前記取引ハンドラに宛てられたリクエスト送信メッセージをリアルタイムで電子的に形成する段階と、
前記加盟店のコンピュータマシンにおいて、前記最近の変更に関するデータを前記取引ハンドラに関連する保存記録からリアルタイムで電子的に受け取る段階と、
前記加盟店のコンピュータマシンにおいて、前記最近の変更に関する受け取ったデータを予め定められた基準に反するかをリアルタイムで電子的に問い、１つの前記アカウントに対する前記取引を承認するか否かを判断する段階と、
を含む、コンピュータで実行される方法。
【請求項４７】
前記加盟店のコンピュータマシンによって実行されたときに、請求項４６のコンピュータで実行される方法を前記加盟店のコンピュータマシンに実行させる保存された命令を含むコンピュータ読み出し可能媒体。
【請求項４８】
イシュアーによってアカウント保有者に発行されたアカウントにおいて前記アカウント保有者と加盟店との各々の間で複数の取引を処理する取引ハンドラを備えたシステムにおいて、
加盟店のコンピュータマシンが、
複数の前記アカウントに関するデータに対する何らかの過去の変更を判定するため、アクワイアラーが前記取引ハンドラから以前に受け取った複数の前記アカウントに関するデータのバッチ比較をリクエストする加盟店のアクワイアラーに宛てられた加盟店送信メッセージを形成する手段と、
前記複数のアカウントの中の前記アカウントの各々にそれぞれ対する前記過去の変更を含むクワイアラー送信メッセージを前記アクワイアラーから受け取る手段と、
前記複数のアカウントに関する保存データを前記それぞれ受け取った過去の変更でバッチ更新する手段と、
前記複数のアカウントの中の１つの前記アカウントにおける取引を承認するイシュアーに対する、１つの前記アカウントに関する保存情報の少なくとも一部を含み、前記アクワイアラーに宛てられ、前記取引ハンドラに転送され、該取引ハンドラにより１つの前記アカウントのイシュアーに転送されるオーソリゼーションリクエストを形成する手段と、
前記取引を承認する前記イシュアーの前記オーソリゼーションリクエストに応答した否認を前記アクワイアラーから受け取る手段と、
前記否認を受け取る前記段階の後に、前記アクワイアラーから受け取った前記過去の変更よりも新しい最近の変更に関するデータを前記取引ハンドラに１つの前記アカウントに送るよう要求するリクエストを含む、前記取引ハンドラに宛てられたリクエスト送信メッセージを形成する手段と、
前記最近の変更に関するデータを前記取引ハンドラに関連する保存記録から受け取る手段と、
前記最近の変更に関する受け取ったデータを予め定められた基準に反するかを問い、１つの前記アカウントに対する前記取引を承認するか否かを判断する手段と、
を備えた加盟店のコンピュータマシン。
【請求項４９】
前記取引ハンドラが金融サービスプロバイダーを含み、
１つの前記アカウントに関する前記取引のオーソリゼーションリクエストが、対応する前記アカウント保有者の前記アカウントにおいてクレジットを供与するためのリアルタイムリクエストを含む、
請求項４８に記載の加盟店のコンピュータマシン。
【請求項５０】
前記最近の変更に関するデータのリクエストと、前記最近の変更に関するデータとに対応するデータを収容するための双方向インタフェースを提供する手段を更に備える、
請求項４８に記載の加盟店のコンピュータマシン。
【請求項５１】
前記リクエスト送信メッセージを送り、前記最近の変更に関するデータを受け取るために前記取引ハンドラにリアルタイムでアクセスする手段を更に備えた、
請求項４８に記載の加盟店のコンピュータマシン。
【請求項５２】
前記リアルタイムのアクセス手段が、サーバネットワークのブラウザアプリケーションを含む、
請求項５１に記載の加盟店のコンピュータマシン。
【請求項５３】
リアルタイムで取引を行うための加盟店コンピュータで実行される方法であって、
ソフトウェアを実行する加盟店のコンピュータマシンにおいて、他の前記アカウントについて他のそのような情報を保存する電子バッチ操作で前記加盟店コンピュータマシンによって以前に保存された前記アカウントに関する情報を含む、アカウントにおける取引のための初期オーソリゼーションリクエストの初期否認をリアルタイムで電子的に受け取る段階と、
前記初期否認を電子的に受け取る前記段階の後に、前記加盟店のコンピュータマシンにおいて、前記アカウントに関して最近のアカウント情報を取引ハンドラに関連するアカウント記録のデータベースからリアルタイムで電子的に受け取る段階と、
前記最近のアカウント情報を受け取る前記段階の後に、前記加盟店のコンピュータマシンにおいて、前記最近のアカウント情報を含む前記取引のための次のオーソリゼーションリクエストをリアルタイムで電子的に送出する段階と、
前記次のオーソリゼーションリクエストを送出する前記段階の後に、前記加盟店のコンピュータマシンにおいて、前記取引に対する次のオーソリゼーションリクエストの承認をリアルタイムで電子的に受け取る段階と、
を含む方法。
【請求項５４】
前記加盟店のコンピュータマシンにおいて、前記電子バッチ操作で保存された前記アカウントに関する情報を前記加盟店のアクワイアラーから電子的に受け取る段階を更に含む、請求項５３に記載のコンピュータで実行される方法。